(57)【特許請求の範囲】
【請求項１】
容器の開口部の上方部に位置する第１係止用突出部と、前記第１係止用突出部の下側に形成され、前記第１係止用突出部より大きな外径を有する第２係止用突出部を具える容器に使用されるワンタッチ式の容器栓であって、
下端に前記容器の開口部の外周面に沿って弾性的に支持されるように内側へ突出するように形成された複数の第１支持突起を具え、前記容器を密閉するように前記開口部の周りに嵌合される密閉部と、
下端に内側へ突出する複数の第２突起を具え前記密閉部の外側に位置するカバー部を有し、
前記密閉部とカバー部は、下端においてヒンジ部により連結され、
前記第１支持突起と前記第２突起が前記ヒンジ部に、前記第２突起が前記第１支持突起の下側に位置するように一体に形成され、
更に前記第２突起は前記容器の開栓まではバンド部材により互いに連結され、前記容器の開口部の開栓を不能とする、
ワンタッチ式の容器栓。
【請求項２】
上方からの押し圧により前記第２突起が前記第２係止用突出部に当接して前記第１支持突起と前記第２突起が前記ヒンジ部を中心に枢動して、前記第２突起が外側に向けられることにより、前記バンド部材の連結を外し、前記容器の開栓を可能とする、請求項１のワンタッチ式容器栓。
【請求項３】
前記カバー部の高さが前記密閉部の高さより大きい、請求項１又は２のワンタッチ式の容器栓。
【請求項４】
前記密閉部とカバー部の間にさらに摩擦部材を有する、請求項１又は２のワンタッチ式の容器栓。
【請求項５】
前記ヒンジ部が、前記密閉部の下端側がカバー部の下端側よりも高い位置にあるような傾きを有する、請求項１又は２のワンタッチ式の容器栓。
【請求項６】
前記カバー部の下端で前記第２突起を囲むように、さらに、カバー部材を有する、請求項１又は２のワンタッチ式の容器栓。
【請求項７】
本体部分及び栓からなる容器であって、
前記本体部分は第１係止用突出部と第２係止用突出部を具え、前記第１係止用突出部は、容器開口部の上方部に位置し、前記第２係止用突出部は、第１係止用突出部の下側に形成され、前記第１係止用突出部より大きい外径を有し、
前記栓は前記容器開口部の周りに嵌合される密閉部と該密閉部の外側に位置するカバー部を具え、
前記密閉部は、内側へ突出して前記第１係止用突出部に引掛かり、弾性的に支持される複数の第１支持突起を下端に具え、
前記カバー部は、下端に内側へ突出する複数の第２突起を具え、
前記密閉部とカバー部は、下端においてヒンジ部により連結され、
前記第１支持突起と前記第２突起が前記ヒンジ部に、前記第２突起が前記第１支持突起の下側に位置するように一体に形成され、
更に前記第２突起はバンド部材により互いに連結され、前記容器の開口部の開栓を不能とする、
容器。
【請求項８】
上方からの押し圧により前記第２突起が前記第２係止用突出部に当接して前記第１支持突起と前記第２突起が変形し、前記ヒンジ部を中心に枢動して、前記第２突起が外側に向けられることにより、前記バンド部材の連結を外し、前記容器の開栓を可能とする、請求項７の容器。
【発明の詳細な説明】
【技術分野】
【０００１】
本発明は、使用の便宜のため、容器の開閉を片手で容易に行うことを可能にする、ワンタッチ式の栓及びワンタッチ式の栓を具えた容器に関する。
【背景技術】
【０００２】
飲料、粉及び他の内容物を収納するための従来の容器は、栓を具えている。このような栓は、保存容器の用途又は保存される内容物により様々な機能を具える必要がある。
【０００３】
例えば、炭酸飲料容器の場合には、容器内の圧力は、気圧より高い圧力に維持されなければならない。このように、容器の流通の間、栓の密封を維持することは重要である。大容量容器の場合には、容器が開けられた後、残っている内容物を再び収納するように、栓を再び密閉することが好ましい。
【０００４】
アルコール飲料又は医薬品の場合には、最初の開栓後、開栓されたかどうか調べることができるのが好ましい。
【０００５】
上記のとおり、従来の栓は、保存される内容物及び容器の機能に従って、様々に製造され、使用される。
【発明の開示】
【０００６】
本発明の目的は、再び密閉できるワンタッチ式の栓及びそのような栓を有する容器を提供することであり、そこにおいて、内容物を気圧より高い圧力で収納することができ、また、内容物が容器内に残っている場合においても、片手によるワンタッチの方法で栓を操作することによって、栓を再び閉じることができるようにすることである。
【０００７】
本発明の他の目的は、再び密閉できるワンタッチ式の栓及びそのような栓を有する容器を提供することであり、そこにおいて、最初の開栓後、栓が開けられたかどうかを、容易に調べることができるようにすることである。
【０００８】
本発明のワンタッチ式の容器栓は、下端に容器の開口部の外周面に沿って弾性的に支持されるように内側へ突出するように形成された複数の第１支持突起を具え、容器を密閉するように開口部の周りに嵌合される密閉部と、
下端に内側へ突出する複数の第２突起を具え前記密閉部の外側に位置するカバー部とを有し、
前記密閉部とカバー部は、下端においてヒンジ部により連結され、
前記第２突起はバンド部材により互いに連結されていることを特徴とする。
【０００９】
本発明のワンタッチ式の栓を有する容器は、容器開口部の上端に第１係止用突出部、及び、第１係止用突出部の下に形成されて、第１係止用突出部より大きい外径を有する第２係止用突出部を有する容器の本体部分を具え、容器を封止するように、開口部の周りに嵌合される密閉部、及び、密閉部の外側に位置するカバー部を有する栓を具えている。密閉部は内側へ突出して第１係止用突出部に引掛かり、弾性的に支持されるような複数の第１支持突起を下端に具えている。カバー部は、その下端で、内側へ突出する複数の第２突起を具えている。密閉部とカバー部は、下端においてヒンジ部により連結され、第２突起は、バンド部材により互いに連結されている。
【発明を実施するための最良の形態】
【００１０】
【第１実施形態】
【００１１】
図１〜図９は、本発明の第１実施形態による、容器及び栓を示している。図１は、本発明の第１実施形態による容器栓の底部斜視図であり、図２は、図１の線ＡＡに沿って切断した部分断面図であり、図３は、本発明の第１実施形態による容器栓の作動状態を示す断面図であり、図４は、本発明のカバー部材を有するカバー部を有する容器栓の図であり、図５及び６は、本発明の容器を有する栓の最初の封止係合を例示する図であり、図７及至図９は、本発明の容器からの栓の取外しを例示するための図である。
【００１２】
添付の図面を参照して、以下に、本発明の第１実施形態について詳細に説明する。
【００１３】
本発明の、ワンタッチ式の容器栓は、容器を封止するように、容器の開口部に嵌合される密閉部１１０、及び、ヒンジ部１２１により、密閉部１１０の下端に連結されているカバー部１２０からなる。カバー部１２０の下部が幅において比較的狭いのに対して、カバー部１２０の上部は比較的広い。
【００１４】
密閉部１１０は、下端に複数の第１支持突起１１１を有する。容器開口部の外周面に沿って、弾性的に支持されるように、第１支持突起は内部へ突出するように形成される。
【００１５】
図２に示すように、第１支持突起１１１夫々の上面は実質的に平坦であり、第１支持突起の底面は所定の角度に傾きを有するよう形成されることが好ましい。従って、容器本体部分との係合の際、容器栓を、底面の傾きに沿って容易に嵌入させることができる。それに反し、本体部分からの容器栓の取外しの際には、第１支持突起１１１の上面が容器の本体部分に引掛かるため、容器栓を容易に容器から取外すことができない。
【００１６】
第１支持突起１１１夫々には、下端に切込みのある空洞部分１１２が側面に形成されている。
【００１７】
内部へくぼんでいるプレス陥凹１１０ａは、密閉部１１０の押圧を容易にするように、密閉部１１０の上端中央に形成される。
【００１８】
カバー部１２０は、カバー部を掴むことを容易にする径方向外側に広がりのある上端部を有し、カバー部は、ヒンジ部１２１により密閉部１１０の下端に連結されている。
【００１９】
カバー部１２０の下端は、対角線的に内部に突出するように、第１支持突起１１１と一体に形成される第２突起１２２を具えている。密閉部１１０の下端から延びた後曲がるヒンジ部１２１は、密閉部１１０及びカバー部１２０の間に位置する第２突起１２２の上端部にある。外的な力がヒンジ部１２１にかかると、第１支持突起１１１及び第２突起１２２は弾性的に変形し、ヒンジ部１２１を支点にして枢動する。特に、ヒンジ部１２１の機能による栓１００の開閉機能については、後で再び述べる。
【００２０】
複数の隆起１２０ａはカバー部１２０の上端部の外側の周面から突出するように形成され、ユーザーがカバー部１２０を掴み、密閉部１１０を押下げるとき、カバー部１２０で手が滑らないようにする。
【００２１】
一方、第２突起１２２は、第２突起１２２が外的な力により広げられ、所定の閾値より大きい圧力がバンド部材１２３にかかると外れるように設計されていることが好ましいバンド部材１２３により、互いに連結されている。
【００２２】
カバー部１２０は、カバー部１２０の外に出る密閉部１１０の露出を最小限にするように、密閉部１１０よりも高さを有するように形成されるのが好ましい。このように、容器の取扱いの間、密閉部１１０は押下げられているので、容器の栓が開けられるのを防ぐことができる。
【００２３】
静的摩擦力より大きい外的な力がその上に作用する場合にのみ、密閉部１１０及びカバー部１２０が機能するように、摩擦部が密閉部１１０及びカバー部１２０の間でさらに具えられることが好ましく、それによって、栓を安全に容器に固定することができる。
【００２４】
摩擦部材の具体例として、図２に示すように、密閉部１１０の外面は鋸の歯の形の第１歯１１４を具えている。カバー部１２０の内面は第１歯１１４と係合する第２歯１２４を具えている。密閉部１１０とカバー部１２０が垂直方向に作動させられると、第１歯１１４及び第２歯１２４は弾性的に変形しながら、互いに位置がずらされる。
【００２５】
さらに、摩擦部の他の実施形態として、凹所が密閉部及びカバー部の間で形成される。ラバーリングが凹所に嵌合され、密閉部とカバー部が上下方向に作動するとき、密閉部とカバー部の間で弾性的に変形するとともに、上下方向の摩擦力を発生させることによって、密閉部及びカバー部の動作を制限する。
【００２６】
図３は、本発明の第１実施形態による容器栓の作動状態を示す断面図である。密閉部１１０の上端部が押下げられ（矢印Ｆ１によって示される方向）、同時に、カバー部が、カバー部１２０の上端部に形成される隆起１２０ａを掴むことができる状態（矢Ｆ２によって示される方向）で引上げられると、第１支持突起１１１及び第２突起１２２が、外側（矢Ｂによって示される方向）へ向きを変えられ、外へ広げられるように、ヒンジ部１２１により連結されている、密閉部１１０及びカバー部１２０の下端部は弾性的に変形する。この時、第２突起を一つのユニットに連結させていたバンド部材１２３は外れる。
【００２７】
一方、図６は本発明の容器栓及び容器が各々に係合している状態を示す図である。第１係止用突出部２１０は容器本体部分２００の開口部の上端で形成され、第１係止用突出部２１０の外径より大きい外径を有する第２係止用突出部２２０は第１係止用突出部２１０の下に形成される。
【００２８】
栓１００の第１支持突起１１１は、第１係止用突出部２１０により、引掛けられまた弾性的に支持され、第２係止用突出部２２０は、或る程度の隙間を有しつつ第２突起１２２に面するように配置される。
【００２９】
密閉を維持するように、密閉部材２３０が、容器本体部分２００の開口部及び密閉部１１０の間で嵌合され、圧縮されるとともに、密閉部材２３０が内容物の漏出を防ぐように設けられるのが好ましい。
【００３０】
一方、図４に示すように、カバー部１２０の下端は、指が栓の開閉操作の際に第２突起１２２の間で挟まれないようにするように、第２突起１２２を囲むためのカバー部材１３０をさらに具えている。栓の開閉操作の際、カバー部材１３０の内径が、カバー部材が第２突起１２２に接触しない程度まで大きいことが好ましい。
【００３１】
容器と一緒の本発明の容器栓のアセンブリ及び使用については、後述する。
【００３２】
図５は、内容物が容器の本体部分２００にある状態で、最初に容器を密閉するプロセスを示している図である。容器栓１００が、内容物が容器の本体部分２００にある状態において、容器の本体部分２００の開口部に嵌合される際、第１支持突起１１１は弾性的に変形して、容器開口部の外周面に沿って嵌合される。
【００３３】
図６は、容器栓１００が、容器の本体部分２００の開口部に完全に係合した状態を示している図である。第１支持突起１１１は、容器本体部分２００の第１係止用突出部２１０に引掛けられて固定され、その結果、栓１００はしっかりと容器の本体部分２００に固定される。このように、本体開口部及び密閉部１１０の間で加圧されている密閉部材２３０によって、内容物が漏れるのを防ぐ。
【００３４】
一方、第２突起１２２がバンド部材により互いに連結されている状態では、第１突起１１１が外側へ開いていないので、バンド部材が外れない状態であり、栓を開けることはできない。従って、最初の開栓の後、第２突起１２２がバンド部材で連結されているかどうかを調べることによって、栓が開いていることを容易に確認することができる。
【００３５】
すなわち、第２突起１２２が第１支持突起１１１の下に位置し、バンド部材により互いに連結されているので、第１支持突起１１１は外側に広がらない。まず、栓を開けるようには、第２突起１２２を互いに連結させるためのバンド部材を、最初に外さなければならない。
【００３６】
次に、栓を取外すことにより、容器を開ける方法は、以下のとおりである。
【００３７】
図７に示すように、第２突起１２２を互いに連結させているバンド部材を外すように、容器栓１００の上の中心部が、強く押下げられる。そこで、第２突起１２２は、容器の本体部分２００の第２係止用突出部２２０と接触し、押圧される。それにより、第２突起１２２を互いに連結させていたバンド部材は外れ、第２突起１２２は外側へと広げられる。
【００３８】
バンド部材が外れた後、栓１００が解除されるときに、弾性的に歪んだ栓１００は図６に示される状態に戻り、第１支持突起１１１は第１係止用突出部２１０に引掛かって、弾性的に支持される。
【００３９】
図８は、栓を開けるプロセスを示した図である。密閉部１１０の上端の中心部が親指により（矢印Ｆによって示される方向に）押圧され、カバー部１２０の上端で形成される隆起１２０ａが人さし指及び中指によって引張られると、密閉部１１０の下端及びカバー部１２０は弾性的に変形し、第１支持突起１１１及び第２突起１２２は外側へ広がる。
【００４０】
栓１００を握り、第１支持突起１１１及び第２突起１２２を外側へ広がっている状態で容器の本体部分１２０の開口部から引抜くことにより、容器を開ける。
【００４１】
図９は、栓１００が容器の本体部分２００から、引抜かれた状態を示している図である。
【００４２】
容器を再び密閉しようとするときには、栓を、容器の本体部分の開口部に嵌合させ、第１支持突起１１１が第１係止用突出部２１０に引掛かるまで、カバー部１２０を押下げる。それにより、容器は再び密閉される。
【第２実施形態】
【００４３】
図１０及び図１１は、本発明の第２実施形態による容器栓を示している図である。図１０は本発明の第２実施形態による容器栓の断面図であり、図１１は本発明の第２実施形態による容器栓の動きを概略的に示した図である。
【００４４】
以下、本発明の第２実施形態について、添付の図面を参照しながら述べる。
【００４５】
図１０を参照すると、本発明の第２実施形態による容器栓は、ヒンジ部１２１が、密閉部１１０側がカバー部１２０側の位置より高い位置にあるような所定のθの角度の傾きを有していること以外は、第１実施形態の容器栓と同様の方法で構成される。
【００４６】
ヒンジ部１２１ａに連結されている、密閉部１１０の下端及びカバー部１２０は、薄い厚さで形成されることが好ましく、そうすることにより、それを傾けることが容易になる。
【００４７】
本発明の第２実施形態による容器栓において、ヒンジ部１２１ａが、密閉部１１０側の位置がカバー部１２０側より高い位置になるような所定の傾きを有するように作られるので、第１支持突起１１１は、密閉部１１０を一回押すという操作によって、開いた状態を維持することができる。
【００４８】
すなわち、第１実施形態の栓のヒンジ部分は水平であるので、栓を開けたり再び容器を密閉したりする間、第１支持突起を外側に開いた状態のままになるようにするには、栓は続けて押されなければならない。一方、本発明の第２実施形態は、密閉部１１０を１回押すという操作によって、第１支持突起１１１を開いた状態のままにすることができることを特徴とする。
【００４９】
特に、図１１は本発明の第２実施形態による容器栓の動きを概略的に示した図であるが、そこにおいて、密閉部１１０、ヒンジ部１２１ａ及び図１０に示される栓のカバー部１２０の形状のみについて、概略的に示される。
【００５０】
栓を開けるようにカバー部１２０が握られた状態で、密閉部１１０が強く押圧されると、密閉部１１０は下方へと動かされ、高い圧縮応力が水平状態において密閉部１１０にかかりながら、ヒンジ部１２１ａの傾きの方向はヒンジ部１２１ａが曲がることにより逆になる。
【００５１】
すなわち、ヒンジ部の傾きの方向が図１１の点線によって示されているように逆転するように、一旦ヒンジ部１２１ａが曲がるならば、もはや圧縮応力はヒンジ部１２１ａにかからない。従って、ヒンジ部１２１ａは逆に曲がった状態のままであり、第１及び第２突起は外側に広がったままである。
【００５２】
一方、密閉部が容器の開口部に嵌合された後、カバー部が押圧されると、ヒンジ部は後ろに曲げられ、ヒンジ部の傾きの方向は最初の状態に戻る。その後、第１支持突起は容器の本体部分の第１係止用突出部に引掛かり、その結果、栓が容器の開口部に固定される。
【００５３】
本発明の第２実施形態において、栓を操作するための力の大きさは、容器の内容物によりヒンジ部の動く距離を変えることによって異なってくる。
【００５４】
すなわち、密閉部下端とヒンジ部の傾きを決定するカバー部間の高低差を適切に修正することによって、栓を操作するための力の大きさを適切に設定することができる。
【００５５】
上記のように作られた本発明の栓において、密閉部及びカバー部の間の隙間に起因するヒンジ部の長さ及び容器の本体部分等と係合した第１支持突起の長さを適切に設定することで、容器の封止の程度をコントロールすることができる。
【第３実施形態】
【００５６】
以下に、本発明の第３実施形態について述べる。参考のために、第１実施形態又は第２実施形態の説明と重複する記述は省略され、異なる部分のみが主に記載される。
【００５７】
図１２及び図１３を参照すると、本発明の第３実施形態による容器栓３００は、容器栓の下端に、容器の開口部の外周面に沿って弾性的に支持されるように、内側へ突出する複数の第１支持突起３１１を具えている。栓は、容器を封止させるように、容器の開口部に嵌合される密閉部３１０と、第１支持突起３１１と一体的に形成され第１支持突起３１１から延びて曲がるヒンジ部３２１と、カバー部３２０の下端で内側へ突出する第２突起３２２を有し、かつ、密閉部３１０の外側に位置するカバー部３２０も具えている。
【００５８】
本発明の第３実施形態においては、第２突起３２２が第１実施形態又は第２実施形態と異なって一体的に形成されていても、栓３００をワンタッチの方法で開けることができる。
【００５９】
すなわち、第２突起３２２が、径方向に弾性的に変形できるように弾性体でできているので、第１実施形態で説明したように、密閉部３１０が押下げられ、第２突起３２２が外側へと同時に広げられるときに、ヒンジ部３２１は弾性的に変形することができる。かくして、栓３００を第１実施形態と同じ操作により開けることができる。
【００６０】
さらに、第２突起３２２の厚みを厳密に定めることにより、栓３００を操作するための必要な力を適切に設定することが好ましい。例えば、第２突起３２２の厚みが極端に大きい場合には、大きい応力が第２突起３２２にかかる。そうすると、第２突起３２２は、容易に、径方向に弾性的に変形することができない。結果的に、容器の開閉を行うことができない。
【００６１】
一方、第２実施形態で説明したように、密閉部側がカバー部側より高い位置にあるような傾きを有するようにヒンジ部を作ることができる。そうすると、密閉部３１０が所定の閾値より大きい作動力で押下げられると、第１支持突起３１１及び第２突起３２２は広げられ、その結果、栓を開いた状態のままにすることができる。
【００６２】
上述した、本発明のワンタッチ式の栓及びその栓を有する容器は、内容物を気圧より小さい又は大きい圧力で収納することができるという点で優れた封止効果を有する。
【００６３】
さらに、本発明の、ワンタッチ式の栓及びその栓を有する容器には、以下のような利点がある。最初の開栓の後、栓が開けられたかどうかを調べることができる。加えて、内容物が容器内に残っているときでも、容器を再び容易に密閉することができる。また、容器の取扱いの間、不注意による開栓を防ぐことができる。
【図面の簡単な説明】
【００６４】
【図１】本発明の第１実施形態による容器栓の底部斜視図。
【図２】図１の線ＡＡに沿って切断した部分断面図。
【図３】本発明の第１実施形態による容器栓の作動状態を示す断面図。
【図４】本発明のカバー部材を有するカバー部を具えた容器栓の図。
【図５】本発明の容器を有する栓の最初の封止係合を例示する図。
【図６】本発明の容器を有する栓の最初の封止係合を例示する図。
【図７】本発明の容器からの栓の取外しを例示する図。
【図８】本発明の容器からの栓の取外しを例示する図。
【図９】本発明の容器からの栓の取外しを例示する図。
【図１０】本発明の第２実施形態による容器の栓の断面図。
【図１１】本発明の第２実施形態による容器栓の動きを概略的に示した図。
【図１２】本発明の第３実施形態による容器栓の底部斜視図。
【図１３】図１２の線ＢＢに沿って切断した部分断面図。
【図１】
0004504370.tif 000002
【図２】
0004504370.tif 000003
【図３】
0004504370.tif 000004
【図４】
0004504370.tif 000005
【図５】
0004504370.tif 000006
【図６】
0004504370.tif 000007
【図７】
0004504370.tif 000008
【図８】
0004504370.tif 000009
【図９】
0004504370.tif 000010
【図１０】
0004504370.tif 000011
【図１１】
0004504370.tif 000012
【図１２】
0004504370.tif 000013
【図１３】
0004504370.tif 000014